(57)【要約】【課題】付加情報が失われることなくコンテンツ情報の共有や譲渡等を行うことができるようにする。【解決手段】情報処理装置２０Ａは、付加情報（斜線部）を有した例えばコンテンツ情報ＤＰA〜ＤＰDを、所定フォーマットのコンテンツ情報ＤＰa〜ＤＰdとして記録媒体４０に書き出す。コンテンツ情報ＤＰA〜ＤＰDの付加情報Ｄhmを用いて付加情報ファイルＦＬを作成して、コンテンツ情報ＤＰa〜ＤＰdとは別個に、コンテンツ情報ＤＰa〜ＤＰdと関係付けて記録媒体４０に書き出す。情報処理装置２０Ｂは、コンテンツ情報の書き戻しを行う際に、コンテンツ情報ＤＰa〜ＤＰdと付加情報ファイルＦＬを書き戻す。コンテンツ情報を所定フォーマットで書き出す際にコンテンツ情報から付加情報が失われても、付加情報ファイルを用いることで、付加情報が失われることなくコンテンツ情報の共有や譲渡等を行える。【選択図】        図１０
2010015640.tif 000002
【特許請求の範囲】
【請求項１】
付加情報を有したコンテンツ情報から前記付加情報を除いて出力する出力部と、
前記コンテンツ情報に関する付加情報を、前記付加情報が除かれたコンテンツ情報とは別個に前記出力部から前記コンテンツ情報とともに出力させる制御部と
を備える情報処理装置。
【請求項２】
記録媒体に記録情報を書き込む情報書き込み部を更に備え、
前記出力部は、前記コンテンツ情報と前記付加情報を前記記録情報として前記情報書き込み部に出力する請求項１記載の情報処理装置。
【請求項３】
前記記録媒体はＤＶＤである請求項２記載の情報処理装置。
【請求項４】
前記コンテンツ情報に関する付加情報は、前記コンテンツ情報から除かれた付加情報または該付加情報を加工して得た情報を少なくとも含む請求項１記載の情報処理装置。
【請求項５】
前記付加情報は、前記コンテンツ情報を生成したときの日付情報と位置情報の少なくともいずれかを含む請求項１記載の情報処理装置。
【請求項６】
記録媒体に記録情報を書き込む情報書き込み部と、
コンテンツ情報に関する付加情報を該コンテンツ情報と別個に作成して、コンテンツ情報と該コンテンツ情報に関する付加情報を前記記録情報として前記情報書き込み部に供給させる制御部と
を備える情報処理装置。
【請求項７】
前記記録媒体はＤＶＤである請求項６記載の情報処理装置。
【請求項８】
付加情報を有したコンテンツ情報から前記付加情報を除くステップと、
前記コンテンツ情報に関する付加情報を、前記付加情報が除かれたコンテンツ情報とは別個として、前記コンテンツ情報とともに出力させるステップとを有する情報処理方法。
【請求項９】
コンピュータに、
付加情報を有したコンテンツ情報から前記付加情報を除くステップと、
前記コンテンツ情報に関する付加情報を、前記付加情報が除かれたコンテンツ情報とは別個として、前記コンテンツ情報とともに出力させるステップとを実行させるプログラム。
【発明の詳細な説明】
【技術分野】
【０００１】
この発明は、情報処理装置と情報処理方法およびプログラムに関する。詳しくは、動画コンテンツ等のコンテンツ情報の共有や譲渡等を行う場合に、付加情報が失われることなくコンテンツ情報の共有や譲渡等を行うことができるようにするものである。
【背景技術】
【０００２】
近年、デジタルビデオカメラやコンピュータ装置の普及およびコンピュータ装置の性能向上に伴い、デジタルビデオカメラで生成された標準画質あるいはハイビジョン画質の動画コンテンツ情報をコンピュータ装置に取り込んで管理するユーザが増えている。
【０００３】
また、コンテンツ情報の管理方法としては、日付毎にコンテンツ情報を管理する方法、イベント毎にコンテンツ情報を管理する方法など様々な方法が用いられている。例えば、静止画コンテンツ情報については、デジタルスチルカメラ用画像ファイルフォーマットの標準化が行われており、Ｅｘｉｆ(Exchangeable image file format）が規格化されている。Ｅｘｉｆ規格では、ＴＩＦＦ(Tagged Image File Format）形式の非圧縮画像データや、ＪＰＥＧ(Joint Photographic Experts Group)形式の圧縮画像データに、撮像日時などの付加情報をタグ情報として記録することができるようになされている。このため、付加情報を利用することで、静止画コンテンツ情報を容易に管理することができる。
【０００４】
一方、動画コンテンツ情報については、フォーマットの標準化がなされていないため、各社独自のベンダーユニークな領域に付加情報を記録したり、コンテンツ管理を行う情報処理装置内のデータベースで付加情報を管理することが行われている。例えば特許文献１の発明では、付加情報のデータをパケット化して、この付加情報のパケットを動画の画像データのパケットや音声データのパケットと多重化することが行われている。このため、このような動画コンテンツ情報を管理するときには、多重化ストリームから付加情報のパケットを分離する処理を行い、分離されたパケットによって示された付加情報を例えばデータベース化することで、動画コンテンツ情報の管理を容易に行えるようになされている。
【０００５】
【特許文献１】特開２００６−３４５５６９号公報
【発明の開示】
【発明が解決しようとする課題】
【０００６】
ところで、コンテンツ情報の共有や譲渡等を行う場合、コンテンツ情報をメモリカードに書き出したり、コンテンツ情報が記録されたＤＶＤ（Digital Versatile Disc）を作成して、このメモリカードやＤＶＤを介してコンテンツ情報の共有や譲渡等が行われる。
【０００７】
ここで、コンテンツ情報の管理を行っている情報処理装置からコンテンツ情報をメモリカードに書き出したり、コンテンツ情報が記録されたＤＶＤを作成するためにコンテンツ情報を記録装置に書き出す場合、付加情報が欠落した状態でコンテンツ情報の書き出しが行われる場合がある。
【０００８】
図１１は、コンテンツ情報の書き出しや書き戻しを行ったときの従来の動作を説明するための図である。なお、図１１は、情報処理装置８０Ａから記録媒体９０に動画コンテンツ情報の書き出しを行い、記録媒体９０に書き出されている動画コンテンツ情報を情報処理装置８０Ｂで書き戻すことで、コンテンツ情報を共有する場合を示している。
【０００９】
情報処理装置８０Ａは、オーサリング等の処理が行われたコンテンツ情報ＤＰA〜ＤＰDのコンテンツ情報を記録媒体９０に書き出す処理を行う。ここで、記録媒体９０が例えばＤＶＤであるとき、コンテンツ情報は、ＤＶＤプレーヤで再生できるフォーマットに変換されてＤＶＤに記録される。ここで、フォーマット変換が行われたとき、ベンダーユニークな領域に設けられている付加情報（ハッチングで示す）が欠落して、記録媒体９０には、付加情報が除かれた状態であるコンテンツ情報ＤＰa〜ＤＰdが記録される場合がある。このように付加情報が欠落した状態でコンテンツ情報が記録媒体９０に記録されると、情報処理装置８０Ｂは、記録媒体９０からコンテンツ情報の書き戻しを行っても、付加情報例えば日付情報などを得ることができないことから、コンテンツ情報ＤＰA〜ＤＰDの付加情報を利用してコンテンツ情報の管理等を行うことができなくなってしまう。
【００１０】
また、ベンダーユニークな領域の情報を保持しようとする場合、フォーマットの標準化がなされていないことから、各社独自のフォーマットのそれぞれに対応させなければならず、処理が煩雑になるとともに処理時間が長くなる等の弊害も多い。
【００１１】
そこで、この発明では、付加情報が失われることなくコンテンツ情報の共有や譲渡等を行うことができる情報処理装置と情報処理方法およびプログラムを提供するものである。
【課題を解決するための手段】
【００１２】
本発明の第１の側面は、付加情報を有したコンテンツ情報から前記付加情報を除いて出力する出力部と、前記コンテンツ情報に関する付加情報を、前記付加情報が除かれたコンテンツ情報とは別個に前記出力部から前記コンテンツ情報とともに出力させる制御部とを備える情報処理装置にある。
【００１３】
この情報処理装置では、例えば動画のコンテンツ情報に撮像時の日付情報や位置情報等を示す付加情報が含まれており、この動画コンテンツの共有や譲渡等を行う場合、コンテンツ情報から付加情報が除かれて、記録媒体に記録できるように所定フォーマットとしてコンテンツ情報が出力される。また、コンテンツ情報から除かれた付加情報は、例えばファイル化されて、付加情報が除かれたコンテンツ情報とは別個にコンテンツ情報とともに出力される。この付加情報が除かれたコンテンツ情報と付加情報のファイルは、記録情報として記録媒体、例えばＤＶＤやメモリカード等に記録される。
【００１４】
また、本発明の第２の側面は、記録媒体に記録情報を書き込む情報書き込み部と、コンテンツ情報に関する付加情報を該コンテンツ情報と別個に作成して、コンテンツ情報と該コンテンツ情報に関する付加情報を前記記録情報として前記情報書き込み部に供給させる制御部とを備える情報処理装置にある。
【００１５】
この情報処理装置では、例えば動画のコンテンツ情報に関する日付情報等の付加情報が生成されて、この動画コンテンツの共有や譲渡等を行う場合には、コンテンツ情報と該コンテンツ情報に関する生成された付加情報が記録情報として情報書き込み部に供給されて、例えばＤＶＤやメモリカード等に記録される。
【００１６】
また、本発明の第３の側面は、付加情報を有したコンテンツ情報から前記付加情報を除くステップと、前記コンテンツ情報に関する付加情報を、前記付加情報が除かれたコンテンツ情報とは別個として、前記コンテンツ情報とともに出力させるステップとを有する情報処理方法にある。
【００１７】
さらに、本発明の第４の側面は、コンピュータに、付加情報を有したコンテンツ情報から前記付加情報を除くステップと、前記コンテンツ情報に関する付加情報を、前記付加情報が除かれたコンテンツ情報とは別個として、前記コンテンツ情報とともに出力させるステップとを実行させるプログラムにある。なお、本発明のプログラムは、例えば、様々なプログラム・コードを実行可能な汎用コンピュータ・システムに対して、コンピュータ可読な形式で提供する記憶媒体、通信媒体、例えば磁気ディスクや光ディスクや半導体メモリなどの記憶媒体、あるいは、ネットワークなどの通信媒体によって提供可能なプログラムである。このようなプログラムをコンピュータ可読な形式で提供することにより、コンピュータでプログラムに応じた処理が実現される。
【発明の効果】
【００１８】
この発明によれば、コンテンツ情報に関する付加情報は、コンテンツ情報と別個にされて、コンテンツ情報とともに出力される。このため、記録媒体にコンテンツ情報を記録する際に、コンテンツ情報から付加情報が除かれるフォーマットが用いられても、コンテンツ情報と別個にされている付加情報をコンテンツ情報とともに記録することで、付加情報が失われることなくコンテンツ情報の共有や譲渡等を行うことができる。
【発明を実施するための最良の形態】
【００１９】
以下、図を参照しながら、この発明の実施の一形態について説明する。図１は、コンテンツ情報の共有や譲渡等を行う場合の構成を示している。撮像装置１０は、動画のコンテンツ情報を生成するものであり、情報処理装置２０Ａは、撮像装置１０で生成されたコンテンツ情報の管理や編集を行う。また、情報処理装置２０Ａは、記録媒体４０を用いてコンテンツ情報の共有や譲渡等を行うために、記録媒体４０にコンテンツ情報の書き出しを行う。情報処理装置２０Ｂは、記録媒体４０に記録されているコンテンツ情報の書き戻しを行い、情報処理装置２０Ｂにおいても、情報処理装置２０Ａと同様に、コンテンツ情報の管理や編集を行えるようにする。
【００２０】
図２は、付加情報を含む動画コンテンツ情報を生成する撮像装置の構成を示している。撮像装置１０は、カメラ部１１と、記録再生処理部１２と、制御部１９とからなる。
【００２１】
カメラ部１１は、カメラ光学系１１１、撮像部１１２、撮像信号処理部１１３、マイクロホン１１４、および入力音声信号処理部１１５から構成されている。
【００２２】
カメラ光学系１１１は、被写体を撮像するためのレンズ群と、絞り調整機構、フォーカス調整機構、ズーム機構等を備えている。カメラ光学系１１１は、制御部１９から供給された制御信号に基づいて絞り調整、フォーカス調整、ズーム動作等を行う。
【００２３】
撮像部１１２は、ＣＣＤ(Charge Coupled Device）イメージセンサや、ＣＭＯＳ(Complementary Metal Oxide Semiconductor)イメージセンサを用いて構成されており、イメージセンサの撮像面には、カメラ光学系１１１を通して被写体像が結像される。撮像部１１２は、撮像面に結像されている被写体像を撮像信号に変換して、撮像信号処理部１１３に供給する。
【００２４】
撮像信号処理部１１３は、撮像信号に対してガンマ補正やニー補正、ＡＧＣ(Automatic Gain Control)、色補正などの処理を行うと共に、処理後の撮像信号をデジタルの画像信号に変換する処理も行う。
【００２５】
マイクロホン１１４は、撮像時の被写体周辺の音声を集音して、集音した音声のアナログ音声信号を入力音声信号処理部１１５に供給する。
【００２６】
入力音声信号処理部１１５は、アナログ音声信号の補正やＡＧＣなどの処理を行うと共に、アナログ音声信号をデジタルの音声データに変換する処理も行う。
【００２７】
記録再生処理部１２は、記録再生信号処理部１２１、書き込み／読み出し部１２２、および出力処理部１２３から構成されている。
【００２８】
記録再生信号処理部１２１は、撮像信号処理部１１３から供給された画像データと入力音声信号処理部１１５から供給された音声データの圧縮符号化処理や、圧縮符号化されている画像データや音声データの伸張復号化処理を行う。また、記録再生信号処理部１２１は、圧縮符号化処理された画像データと圧縮符号化処理された音声データおよび付加情報の多重化を行い、データストリームを生成して書き込み／読み出し部１２２に供給する処理も行う。さらに、記録再生信号処理部１２１は、データストリームや圧縮符号化されていない状態の画像データや音声データを出力処理部１２３に供給する。
【００２９】
書き込み／読み出し部１２２は、記録再生信号処理部１２１から供給されたデータストリームを記録媒体１２５に書き込む。また、書き込み／読み出し部１２２は、記録媒体１２５から読み出したデータストリームを記録再生信号処理部１２１に供給する。なお、記録媒体１２５としては、メモリカードや光ディスク，磁気ディスク等が用いられる。また、記録媒体１２５は、着脱可能であってもよく、磁気ディスクを用いているＨＤＤのように、撮像装置１０に固定されていてもよい。
【００３０】
出力処理部１２３は、データストリームや圧縮符号化されていない状態の画像データや音声データを外部機器に供給する処理を行う。例えばデータストリームを情報処理装置２０に供給したり、圧縮符号化されていない状態の画像データや音声データをテレビジョン装置等に供給する処理を行う。
【００３１】
位置情報生成部１３は、測位システムで用いられている信号の受信を行い、受信した信号から現在位置を判別して、現在位置を示す位置情報例えば緯度経度情報を制御部１９に供給する。時計部１４は時刻情報を生成して制御部１９に供給する。表示部１５は、画像データを用いてモニタ画像表示等を行う。表示部１５は、制御部１９から供給された表示制御信号に基づき、撮像装置の動作設定を行うためのメニュー表示や、動作状態を示す表示等を行う。ユーザインタフェース部１６は、操作キー等で構成されており、ユーザ操作に応じた操作信号を生成して制御部１９に供給する。
【００３２】
制御部１９は、操作信号に基づき制御信号を生成してカメラ部１１や記録再生処理部１２に供給することで、撮像装置１０の動作がユーザ操作に応じた動作となるようにカメラ部１１や記録再生処理部１２の動作を制御する。
【００３３】
また、制御部１９は、位置情報生成部１３で生成された位置情報や時計部１４で生成された時刻情報等を利用して付加情報の生成を行い、生成した付加情報を記録再生処理部１２に供給することで、コンテンツ情報に付加情報を含めるものとする。
【００３４】
付加情報は、コンテンツ情報を生成したときの日付情報と位置情報の少なくともいずれかを含むものとする。例えば日付情報として、フレーム単位の撮像時刻を含めるものとする。撮像時刻の情報としては、時計部１４からの時刻情報をその都度読み込んで用いる。また、動画の撮影開始時点で、時計部１４の時刻情報（撮影開始時刻）を取り込み、それ以降は、撮像開始時刻を基準にしたフレーム単位の相対時刻（フレーム番号でもよい）を撮像時刻として用いるようにしてもよい。
【００３５】
さらに、付加情報には撮像条件情報を含めるものとしてもよい。撮像条件情報には、自動的に設定される情報およびユーザにより設定される情報との両方を含めるものとする。例えば、露出制御情報やデジタルズーム倍率情報などの設定情報や、位置情報生成部１３で生成された位置情報等を含めるものとする。
【００３６】
このように構成された撮像装置１０において、記録再生信号処理部１２１では、例えばＤＶＤのファイルシステムにベンダーユニークな領域を設けて、コンテンツ情報に付加情報が含まれたデータストリームを生成する。
【００３７】
図３は、ＤＶＤのファイルシステムにおいて、画像データや音声データが多重化されているＶＴＳ(Video Title Set)と呼ばれるデータ群の構成を示している。
【００３８】
ＶＴＳは、図３の（Ａ）に示すように、ＶＴＳＩ(Video Title Set Information)と、ＶＴＳＭ＿ＶＯＢＳ(Video Object Set For the VTS Menu)と、ＶＴＳＴＴ＿ＶＯＢＳ(Video Object Set For Titles in a VTS)と、ＶＴＳＩ＿ＢＵＰ(Backup of VTSI)で構成されている。
【００３９】
ＶＴＳＴＴ＿ＶＯＢＳには、図３の（Ｂ）に示すように、ＭＰＥＧ２−ＰＳ(Program Stream)フォーマットの圧縮データが、ＶＯＢＵ(Video Object Unit)と呼ばれる情報ブロックを読み書き単位として記録される。ＶＯＢＵ内には、画像データは、少なくとも１枚のＩピクチャを包含する１ＧＯＰが含まれ、オーディオデータは、当該１ＧＯＰに対応する情報が含まれる。なお、ＶＴＳＩには画像データ等の記録位置情報等の管理情報が記録される。ＶＴＳＭ＿ＶＯＢＳには画像データ等のルートメニューが記録される。このＶＴＳＭ＿ＶＯＢＳはオプションである。また、ＶＴＳＩ＿ＢＵＰは、ＶＴＳＩのバックアップ情報である。
【００４０】
読み書き単位データＶＯＢＵは、図３の（Ｃ）に示すように、複数個のパックＰＣＫから構成される。各パックＰＣＫは、１または複数個のパケットから構成することが可能である。
【００４１】
図４は、ＶＯＢＵの構成を説明するための図である。図４の（Ａ）〜（Ｃ）は、記録再生信号処理部１２１に入力される画像データ、音声データ、および付加情報のストリームを示すものである。また、図４の（Ｄ）は、記録再生信号処理部１２１の多重化部（図示せず）から出力されるデータストリーム構造を示している。なお、記録再生信号処理部１２１では、データストリームとしてＭＰＥＧ−ＰＳフォーマットのデータストリームを出力するものとして、図４の（Ｄ）では１ＶＯＢＵのストリーム構造を示している。なお、１ＧＯＰ(Group Of Picture)は、１５フレーム（１５枚のピクチャ）で構成されるものとすると共に、Ｉピクチャの画像データについての撮像時情報を含む付加情報が多重化されるものとする。
【００４２】
図４（Ａ）の画像データストリームにおいて、「Ｂ」，「Ｉ」，「Ｐ」は、フレーム単位の画像データにおけるピクチャタイプを示している。また、図４の（Ｂ）音声データストリームにおける「Ａ」は、各画像フレームに対応するオーディオデータを示している。
【００４３】
また、図４の（Ｃ）における付加情報ＡＲＩ＿ＤＡＴＡは、１ＧＯＰ分の画像データ中のＩピクチャを取り込む際における撮像時情報を含む付加情報を示している。この例の場合、この付加情報ＡＲＩ＿ＤＡＴＡは、１ＧＯＰ期間の間では変わらないデータである。
【００４４】
図４の（Ａ）に示されている画像データは、ピクチャ順の並び換えがなされた後、圧縮符号化処理が行われて多重化される。各ピクチャの圧縮画像データは、図４の（Ｄ）に示すように、１または複数個のビデオパックＶ＿ＰＣＫとされて多重化される。このとき、各ピクチャの画像データには、再生出力の時間管理情報であるタイムスタンプＰＴＳが、各ピクチャの先頭が含まれるパケットのヘッダに含められるようにされている。なお、図４の（Ｄ）において、各ビデオパックＶ＿ＰＣＫの四角枠内のＩ，Ｂ，Ｐの記号は、当該画像パック内の圧縮画像データが、Ｉピクチャ、Ｂピクチャ、Ｐピクチャのうちの、いずれのピクチャタイプの画像データであるかを示している。
【００４５】
図４の（Ｂ）に示す音声データは、ＭＰＥＧオーディオ圧縮された後、所定のデータ量毎のオーディオパックＡ＿ＰＣＫとして、図４の（Ｄ）に示すように、ビデオパックＶ＿ＰＣＫと多重化される。なお、各音声データについても、再生出力の時間管理情報であるタイムスタンプＰＴＳが、オーディオフレーム毎にパケットのヘッダに含められるようにされている。
【００４６】
図４の（Ｃ）に示す付加情報ＡＲＩ＿ＤＡＴＡは、例えば１ＧＯＰ毎に１個の付加情報パックＡＲＩ＿ＰＣＫが形成される。そして、この付加情報パックＡＲＩ＿ＰＣＫは、図４の（Ｄ）に示すように、この例では、ＶＯＢＵ内におけるＩピクチャの複数個の画像パックの先頭に多重化される。
【００４７】
付加情報パックＡＲＩ＿ＰＣＫには、付加情報ＡＲＩ＿ＤＡＴＡがパケット化されて含まれると共に、そのパケットヘッダ内には、同じＧＯＰ内におけるＩピクチャの先頭のパックのパケットに含められるタイムスタンプＰＴＳと同じタイムスタンプＰＴＳが含まれている。すなわち、付加情報パックＡＲＩ＿ＰＣＫは、ベンダーユニークな領域に相当するものであり、付加情報パックＡＲＩ＿ＰＣＫによって付加情報が示される。
【００４８】
なお、１ＧＯＰのデータが含まれるＶＯＢＵの先頭のパックＮＶ＿ＰＣＫは、ナビゲーションパックと呼ばれるもので、これには、データサーチインフォメーション（例えばジャンプ時にどのセクタまで飛ぶかを指示する制御情報）などの再生管理情報が含められている。図４の（Ｄ）に示すように、付加情報パックＡＲＩ＿ＰＣＫは、ナビゲーションパックＮＶ＿ＰＣＫの直後に多重化されている。
【００４９】
ところで、図４は、ＤＶＤ−Ｖｉｄｅｏフォーマットにおいて付加情報を設ける場合を示しているが、ＤＶＤ−Ｖｉｄｅｏ  Ｒｅｃｏｒｄｉｎｇフォーマットにおいて付加情報を設ける場合には、ＶＯＢＵの先頭にあるＲＤＩパックに付加情報を設けるものとする。図５は、ＶＯＢＵの他の構成として、ＤＶＤ−Ｖｉｄｅｏ  Ｒｅｃｏｒｄｉｎｇフォーマットにおいて付加情報を設ける場合を示している。
【００５０】
ＶＴＳＴＴ＿ＶＯＢＳには、図５の（Ａ）に示すように、ＭＰＥＧ２−ＰＳフォーマットの圧縮データが、ＶＯＢＵ(Video Object Unit)と呼ばれる情報ブロックを読み書き単位として記録される。
【００５１】
ＶＯＢＵの先頭には、図５の（Ｂ）に示すように、ＲＤＩパックＲＤＩ＿ＰＣＫ(RDI;Real-time Data Information)が配置され、その後に、ビデオパックＶ＿ＰＣＫおよびオーディオパックＡ＿ＰＣＫが配置されている。
【００５２】
先頭のパックＲＤＩ＿ＰＣＫは、図５の（Ｃ）に示すように、パックヘッダ、システムヘッダ、およびＲＤＩパケットで構成される。
【００５３】
ＲＤＩパケットは、パケットヘッダと、サブストリームＩＤと、ＲＤＩ・データで構成されている。なお、サブストリームＩＤは、当該パケットがＲＤＩパケットであることを認識させる識別子である。
【００５４】
ＲＤＩ・データとしては、ＶＯＢＵの記録時間などを含むＲＤＩ＿ＧＩ(Real-time Data Information General Information)と呼ばれるデータと、ディスプレイの制御情報等を含むＤＣＩ＿ＣＣＩ(Display Control Information and Copy Control Information)と呼ばれるデータが定義されている。そして、ＲＤＩ・データエリアの残りのエリアは、フィールド名ＭＮＦＩ(Manufacturer's Information)として、開発者（製造者）に開放されており、このＭＮＦＩのエリアに付加情報ＡＲＩ＿ＤＡＴＡを設けるようにする。
【００５５】
ＲＤＩパックは、ＶＯＢＵ単位のデータを読み出すときに、必ず読み出す必要があるパックであり、このＲＤＩパック内に付加情報を含めて記録するようにすることにより、ノーマル速度再生の場合に限らず、変速（高速）再生の場合においても、付加情報を画像データなどと共に容易に抽出することができる。
【００５６】
図６は、撮像装置１０で生成された動画コンテンツ情報を管理する情報処理装置２０Ａの構成を示している。
【００５７】
情報処理装置２０Ａは、入力部２１、記録処理部２２、コンテンツ情報蓄積部２３、再生処理部２４、出力部２５、情報書き込み部２６、データベース２７、表示部２８、ユーザインタフェース部２９、制御部３０を有している。
【００５８】
入力部２１は、撮像装置１０で生成された動画コンテンツ情報を情報処理装置２０に取り込むためのインタフェースである。この入力部２１を介して取り込まれたコンテンツ情報は、記録処理部２２に供給される。
【００５９】
記録処理部２２は、取り込まれたコンテンツ情報をコンテンツ情報蓄積部２３に記憶させる。また、コンテンツ情報に含まれている付加情報を抽出して、制御部３０に供給する。
【００６０】
再生処理部２４は、コンテンツ情報蓄積部２３に記憶されているコンテンツ情報を読み出して出力部２５に供給する。
【００６１】
出力部２５は再生処理部２４によって再生されたコンテンツ情報を、記録媒体４０に記録できるように所定フォーマットのデータに変換して出力する。例えば、出力部２５は、ＤＶＤ−ＶｉｄｅｏフォーマットやＤＶＤ−Ｖｉｄｅｏ  Ｒｅｃｏｒｄｉｎｇフォーマットのデータストリームから画像データや音声データを抽出して、画像データと音声データのデータストリームを出力する。また、出力部２５は、出力するコンテンツ情報に関する付加情報を用いて作成されている付加情報ファイルを出力する。なお、所望の記録媒体に記録情報を書き込む情報書き込み部が情報処理装置２０Ａに内蔵されているときは、出力するコンテンツ情報と付属情報ファイルを情報書き込み部２６に供給する。また、所望の記録媒体に記録情報を書き込む情報書き込み部が情報処理装置２０Ａに内蔵されていないときは、外部の情報書き込み部に、コンテンツ情報と付属情報ファイルを出力する。
【００６２】
情報書き込み部２６は、出力部２５から供給されたコンテンツ情報と付加情報ファイルを記録情報として記録媒体４０に書き込む。この記録媒体４０としては、例えばＤＶＤやメモリカード等を用いる。
【００６３】
データベース２７は、記録処理部２２で抽出した付加情報等をデータベース化して記憶するものである。この付加情報は、コンテンツ情報蓄積部２３に蓄積されたコンテンツ情報と関連付けられて記憶される。
【００６４】
表示部２８は、制御部３０から供給された表示制御信号に基づき、情報処理装置２０の動作設定を行うためのメニュー表示や、動作状態を示す表示等を行う。また、表示部２８は、コンテンツ情報蓄積部２３に記憶されているコンテンツ情報に基づき画像表示等を行うようにしてもよい。ユーザインタフェース部２９は、操作キー等で構成されており、ユーザ操作に応じた操作信号を生成して制御部３０に供給する。
【００６５】
制御部３０は、ユーザインタフェース部２９から供給された操作信号に基づき制御信号を生成して、記録処理部や再生処理部等に供給することで、情報処理装置２０の動作がユーザ操作に応じた動作となるように制御する。
【００６６】
また、制御部３０は、コンテンツ情報蓄積部２３にどのようなコンテンツが蓄積されているか管理する。制御部３０は、記録処理部２２によって抽出された付加情報を、コンテンツ情報蓄積部２３に蓄積されたコンテンツ情報と関連付けられてデータベース２７に記憶させることで、このデータベース２７に記憶された情報を利用して、コンテンツ情報蓄積部２３に蓄積されたコンテンツ情報の管理を行う。
【００６７】
また、制御部３０は、ユーザによってオーサリング操作が行われたとき、蓄積されているコンテンツ情報の読み出しや編集および編集後のコンテンツ情報をコンテンツ情報蓄積部２３に記憶させる処理等を行う。また、制御部３０は、コンテンツ情報だけでなく、ユーザ操作に応じて付加情報の加工や生成等も行う。
【００６８】
さらに、制御部３０は、コンテンツ情報の譲渡や共有等を行うために、コンテンツ情報の書き出し指示が行われたとき、指示されたコンテンツ情報をコンテンツ情報蓄積部２３から読み出して、情報書き込み部２６に出力する処理を行う。また、コンテンツ情報を出力する際に、出力するコンテンツ情報に関する付加情報を用いて付加情報ファイルを作成して、コンテンツ情報と関連付けて付加情報ファイルを情報書き込み部２６に出力する。
【００６９】
なお、コンテンツ情報の書き戻しを行う情報処理装置２０Ｂは、コンテンツ情報の書き出しを行う情報処理装置２０Ａの情報書き込み部２６に対して、記録媒体４０からコンテンツ情報とコンテンツ情報に関連付けられている付加情報ファイルを読み出す情報読み出し部を設けて、この情報読み出し部で読み出されたコンテンツ情報と付加情報ファイルを入力部２１に供給する。
【００７０】
図７は、コンテンツ情報の書き出し動作を示すフローチャートである。ステップＳＴ１で制御部３０は、コンテンツ情報選択表示を行う。制御部３０は、表示部２８の画面上に、コンテンツ情報蓄積部２３に蓄積されたコンテンツ情報の一覧表示を設けて、ユーザが所望のコンテンツ情報を選択できるようにしてステップＳＴ２に進む。
【００７１】
ステップＳＴ２で制御部３０は、書き出すコンテンツ情報が選択されたか否かを判別する。制御部３０は、ユーザインタフェース部２９からの操作信号に基づき、コンテンツ情報の選択が行われた判別したときにはステップＳＴ３に進む。また、コンテンツ情報の選択が行われたと判別されていないときはステップＳＴ２に戻る。
【００７２】
ステップＳＴ３で制御部３０は、書き出し先選択表示を行う。制御部３０は、表示部２８の画面上に、コンテンツ情報の書き出しが可能な書き出し先の一覧表示を設けて、ユーザが所望の書き出し先を選択できるようにしてステップＳＴ４に進む。例えば、記録媒体４０として、ＤＶＤやメモリカードなど複数の記録媒体が利用可能とされているとき、複数の記録媒体を一覧表示して、コンテンツ情報の書き出しに用いる記録媒体を選択できるようにする。
【００７３】
ステップＳＴ４で制御部３０は、書き出し先が指定されたか否かを判別する。制御部３０は、ユーザインタフェース部２９からの操作信号に基づき、コンテンツ情報の書き出し先が指定されたと判別したときにはステップＳＴ５に進む。また、書き出し先の指定が行われたと判別されていないときはステップＳＴ４に戻る。
【００７４】
ステップＳＴ５で制御部３０は、付加情報ファイルの作成を行う。制御部３０は、選択されたコンテンツ情報に含まれている付加情報を用いて付加情報ファイルを作成してステップＳＴ６に進む。
【００７５】
図８は付加情報ファイルのファイル内容を例示したものである。例えばコンテンツ情報の付加情報として、コンテンツ情報のタイトル、チャプタ番号、日付情報を有しており、書き出すコンテンツ情報として「ContentsＡ」「ContentsＢ」「ContentsＣ」が選択された場合、「ContentsＡ」「ContentsＢ」「ContentsＣ」に対する情報が付加情報ファイルに設けられる。ここで、「ContentsＡ/Title NM/Chapter1/2007.5.5  16:38:33」は、動画コンテンツ「ContentsＡ」に関する情報であり、動画コンテンツ「ContentsＡ」のタイトル名「Title NM」、チャプタ番号「Chapter1」、撮像日時「２００７年５月５日１６時３８分３３秒」を示している。同様に、「ContentsＢ/Title NM/Chapter2/2007.5.10  11:10:12」は、動画コンテンツ「ContentsＢ」に関する情報であり、動画コンテンツ「ContentsＢ」のタイトル名「Title NM」、チャプタ番号「Chapter2」、撮像日時「２００７年５月１０日１１時１０分１２秒」「2007.5.10 11:10:12」を示している。また、「ContentsＣ/Title NM/Chapter3/2007.10.1  23:34:34」は、動画コンテンツ「ContentsＣ」に関する情報であり、動画コンテンツ「ContentsＣ」のタイトル名「Title NM」、チャプタ番号「Chapter3」、撮像日時「２００７年１０月１日２３時３４分３４秒」であることを示している。
【００７６】
ステップＳＴ６で制御部３０は、書き出し処理を行う。制御部３０は、再生処理部２４を制御してコンテンツ情報蓄積部２３から選択されたコンテンツ情報の読み出しを行って、読み出したコンテンツ情報を出力部２５に供給する。また、制御部３０は、出力部２５を制御して、読み出したコンテンツ情報から書き出し先に応じたデータストリームを生成して、書き出し先に出力させる。ここで、記録媒体４０としてＤＶＤを用いる場合、一般のＤＶＤプレーヤで再生できるフォーマットとしてコンテンツ情報をＤＶＤに記録するため、ベンダーユニークな領域に設けられている付加情報を除いた状態として出力させる。例えば、読み出したコンテンツ情報から画像データのパックであるビデオパックＶ＿ＰＣＫと音声データのパックであるオーディオパックＡ＿ＰＣＫを抽出して、この抽出したビデオパックＶ＿ＰＣＫとオーディオパックＡ＿ＰＣＫのデータストリームを書き出し先に出力する。また、制御部３０は、作成した付加情報ファイルを出力部２５に供給して、コンテンツ情報と関連付けて書き出し先に出力させて、書き出し動作を終了する。
【００７７】
図９は、コンテンツ情報の書き戻し動作を示すフローチャートである。ステップＳＴ１１で制御部３０は、取り込み元選択表示を行う。制御部３０は、表示部２８の画面上に、コンテンツ情報の取り込み元の一覧表示を設けて、ユーザが所望の取り込み元を指定できるようにしてステップＳＴ１２に進む。例えば、記録媒体４０として、ＤＶＤやメモリカードなど複数の記録媒体が利用可能とされているとき、複数の記録媒体を一覧表示して、コンテンツ情報の書き戻しを行うときに用いる記録媒体を選択できるようにする。
【００７８】
ステップＳＴ１２で制御部３０は、取り込み元が指定されたか否かを判別する。制御部３０は、ユーザインタフェース部２９からの操作信号に基づき、コンテンツ情報の取り込み元が指定されたと判別したときにはステップＳＴ１３に進む。また、取り込み元の指定が行われたと判別されていないときはステップＳＴ１２に戻る。
【００７９】
ステップＳＴ１３で制御部３０は、コンテンツ情報選択表示を行う。制御部３０は、表示部２８の画面上に、指定された取り込み元が記録しているコンテンツ情報の一覧表示を設けて、ユーザが所望のコンテンツ情報を選択できるようにしてステップＳＴ１４に進む。
【００８０】
ステップＳＴ１４で制御部３０は、取り込むコンテンツ情報が選択されたか否かを判別する。制御部３０は、ユーザインタフェース部２９からの操作信号に基づき、コンテンツ情報の選択が行われた判別したときにはステップＳＴ１５に進む。また、コンテンツ情報の選択が行われたと判別されていないときはステップＳＴ１４に戻る。
【００８１】
ステップＳＴ１５で制御部３０は、書き戻し処理を行う。制御部３０は、入力部を制御して、指定した取り込み元から選択したコンテンツ情報と、このコンテンツ情報と関連付けられている付加情報ファイルを取得させる。さらに、制御部３０は、記録処理部２２を制御して、取得したコンテンツ情報をコンテンツ情報蓄積部２３に蓄積させてステップＳＴ１６に進む。
【００８２】
ステップＳＴ１６で制御部３０は、付加情報の登録処理を行う。制御部３０は、コンテンツ情報と共に取得された付加情報ファイルで示されている付加情報を、コンテンツ情報蓄積部２３に蓄積させたコンテンツ情報と関連付けてデータベース２７に登録して書き戻し動作を終了する。
【００８３】
図１０は、コンテンツ情報の書き出し動作および書き戻し動作を示している。なお、図１０では、情報処理装置２０Ａのコンテンツ情報蓄積部２３に記憶されているコンテンツ情報を記録媒体４０に書き出して、この記録媒体４０に書き込まれたコンテンツ情報を、情報処理装置２０Ａとは異なる情報処理装置２０Ｂに書き戻す場合を示している。
【００８４】
情報処理装置２０Ａは、コンテンツ情報蓄積部２３に記録しているコンテンツ情報ＤＰA〜ＤＰDを記録媒体４０に書き出すとき、例えば、読み出したコンテンツ情報から画像データのパックであるビデオパックＶ＿ＰＣＫと音声データのパックであるオーディオパックＡ＿ＰＣＫを抽出して、この抽出したビデオパックＶ＿ＰＣＫとオーディオパックＡ＿ＰＣＫのデータストリームを書き出し先に出力する。また、情報処理装置２０Ａは、書き出すコンテンツ情報ＤＰA〜ＤＰDの付加情報Ｄhmを用いて付加情報ファイルＦＬを作成して、この付加情報ファイルＦＬをコンテンツ情報と共に書き出し先に出力する。したがって、記録媒体４０には、付加情報が含まれていないコンテンツ情報ＤＰa〜ＤＰdが記録されることになる。また、コンテンツ情報ＤＰA〜ＤＰDの付加情報は、付加情報ファイルＦＬとして記録媒体４０に記録されることになる。
【００８５】
次に、記録媒体４０に書き込まれているコンテンツ情報を情報処理装置２０Ｂに書き戻すとき、書き戻すコンテンツ情報に関連付けられている付加情報ファイルの書き戻しを行う。例えばコンテンツ情報の書き戻しを行うとき、コンテンツ情報ＤＰa〜ＤＰdに関連付けられている付加情報ファイルＦＬを、コンテンツ情報ＤＰa〜ＤＰdと共に書き戻す。
【００８６】
情報処理装置２０Ｂは、書き戻したコンテンツ情報ＤＰa〜ＤＰdをコンテンツ情報蓄積部２３に蓄積するとともに、書き戻した付加情報ファイルＦＬで示されている付加情報Ｄhmをデータベース２７に登録する。
【００８７】
このように、コンテンツ情報の書き出しや書き戻しを行うものとすれば、コンテンツ情報の書き出しや書き戻しを行っても付加情報が失われることがないので、コンテンツ情報の供給や譲渡等を行っても日付情報等を簡単に踏襲することができる。
【００８８】
また、上述の実施の形態では、コンテンツ情報から除かれる付加情報を付加情報ファイルとして、付加情報が除かれたコンテンツ情報とは別個のファイルとして出力部からコンテンツ情報とともに出力させるものとした。しかし、付加情報ファイルとして出力される情報は、コンテンツ情報と関係する情報であれば、コンテンツ情報から除かれる付加情報に限られるものではない。すなわち、コンテンツ情報に含まれている付加情報の加工等を行い、コンテンツ情報から除かれる付加情報に加工後の付加情報を加えて付加情報ファイルを作成してもよい。また、コンテンツ情報から除かれる付加情報に替えて加工後の付加情報を用いて付加情報ファイルを作成してもよい。さらに、コンテンツ情報に関する新たな付加情報を生成して、この生成された付加情報を用いて付加情報ファイルを作成してもよい。
【００８９】
例えば、位置情報生成部１３で生成される情報が緯度経度情報であり、この緯度経度情報が付加情報としてコンテンツ情報に含まれているとき、この緯度経度情報を地名等の情報に加工（変換）して、地名等の情報を付加情報として用いるものとする。また、時差のある場所に移動しても時計部１４の時刻修正操作を行うことなく撮像を行い、コンテンツ情報に付加情報として含まれている撮像日時情報を、現地時刻に加工（変換）して、この現地時刻を示す撮像日時情報を付加情報として用いるものとする。また、付加情報に含まれているタイトル名を変更して、変更後のタイトル名を用いるものとする。さらに、コンテンツ情報に関連した新たな情報を付加情報に追加するものとしてもよい。
【００９０】
このようにすれば、コンテンツ情報に含まれている付加情報だけでなく、コンテンツ情報に関係した種々の情報を付加情報として、これらの付加情報が失われることなくコンテンツ情報の共有や譲渡等を行うことができる。
【００９１】
なお、上述した一連の処理は、プログラムによってコンピュータで実行するものとしてもよい。この場合、コンピュータにインストールされ、コンピュータによって実行されるプログラムは、磁気ディスク、光ディスク、光磁気ディスク、もしくはメモリカード等のリムーバブルメディアに記録しておくものとする。また、ＲＯＭ(Read Only Memory)に一時的もしくは永続的に格納しておくものとしてもよい。さらに、ハードディスクなどに記録しておくものとしてもよい。また、ルータやモデムなどの通信部を介して、ローカルエリアネットワーク、インターネット、デジタル衛星放送といった、有線または無線の通信媒体を介してコンピュータにプログラムを供給するものとしてもよい。
【００９２】
また、上述の実施の形態では、コンテンツの書き出しや書き戻しをＤＶＤやメモリカードに対して行う場合について説明したが、記録媒体４０は、Ｂｌｕ−ｒａｙ  Ｄｉｓｃ（商標）やＨＤ−ＤＶＤディスクなど、コンテンツ情報を記録するディスク全般について応用できることはいうまでもない。また、ハードディスクやその他のストレージ機器を記録媒体として用いることも可能である。
【産業上の利用可能性】
【００９３】
この発明では、動画等のコンテンツ情報に関する付加情報が失われることなくコンテンツ情報の共有や譲渡等を行うことができる。したがって、動画等のコンテンツ情報を配信するサーバやコンテンツの編集等を行う編集装置等に好適である。
【図面の簡単な説明】
【００９４】
【図１】コンテンツ情報の共有や譲渡等を行う場合の構成を示した図である。
【図２】撮像装置の構成を示す図である。
【図３】ＶＴＳの構成を示す図である。
【図４】ＶＯＢＵの構成を説明するための図である。
【図５】ＶＯＢＵの他の構成を説明するための図である。
【図６】情報処理装置の構成を示す図である。
【図７】コンテンツ情報の書き出し動作を示すフローチャートである。
【図８】付加情報ファイルの内容を例示した図である。
【図９】コンテンツ情報の書き戻し動作を示すフローチャートである。
【図１０】コンテンツ情報の書き出しや書き戻しを行ったときの動作を説明するための図である。
【図１１】コンテンツ情報の書き出しや書き戻しを行ったときの従来の動作を説明するための図である。
【符号の説明】
【００９５】
１０・・・撮像装置、１１・・・カメラ部、１２・・・記録再生処理部、１３・・・位置情報生成部、１４・・・時計部、１５，２８・・・表示部、１６，２９・・・ユーザインタフェース部、１９，３０・・・制御部、２０，２０Ａ，２０Ｂ，８０Ａ，８０Ｂ・・・情報処理装置、２１・・・入力部、２２・・・記録処理部、２３・・・コンテンツ情報蓄積部、２４・・・再生処理部、２５・・・出力部、２６・・・情報書き込み部、２７・・・データベース、４０，９０・・・記録媒体、１１１・・・カメラ光学系、１１２・・・撮像部、１１３・・・撮像信号処理部、１１４・・・マイクロホン、１１５・・・入力音声信号処理部、１２１・・・記録再生信号処理部、１２２・・・書き込み／読み出し部、１２３・・・出力処理部、１２５・・・記録媒体
【図１】
2010015640.tif 000003
【図２】
2010015640.tif 000004
【図３】
2010015640.tif 000005
【図４】
2010015640.tif 000006
【図５】
2010015640.tif 000007
【図６】
2010015640.tif 000008
【図７】
2010015640.tif 000009
【図８】
2010015640.tif 000010
【図９】
2010015640.tif 000011
【図１０】
2010015640.tif 000012
【図１１】
2010015640.tif 000013